(57)【要約】【課題】絞り装置のユニットの大型化を抑制しつつ、駆動リングを高速に駆動できる光量調節装置を提供する。【解決手段】光通過開口を通過する光の量を調節する複数の光量調節羽根と、光通過開口の周囲に配置されて複数の光量調節羽根を回動させる駆動部とを備え、駆動部は、複数の光量調節羽根が連結されると共に外径の異なる複数の環状部材を組合せた多重環状部材を有し、複数の環状部材を相互に異なる方向に連動回転させて複数の光量調節羽根を回動させることにより光通過開口の大きさを変更する。【選択図】  図１
2015079105.tif 000002
【特許請求の範囲】
【請求項１】
光通過開口を通過する光の量を調節する複数の光量調節羽根と、
前記光通過開口の周囲に配置されて前記複数の光量調節羽根を回動させる駆動手段とを備え、
前記駆動手段は、前記複数の光量調節羽根が連結されると共に外径の異なる複数の環状部材を組合せた多重環状部材を有し、前記複数の環状部材を相互に異なる方向に連動回転させて前記複数の光量調節羽根を回動させることにより前記光通過開口の大きさを変更することを特徴とする光量調節装置。
【請求項２】
前記複数の環状部材は、前記複数の光量調節羽根から形成される羽根群の片側で連動回転することを特徴とする請求項１に記載の光量調節装置。
【請求項３】
前記複数の環状部材は、一方向側に回動して前記羽根群を回動させる第１の環状部材と、
前記第１の環状部材の回動方向とは反対側の他方向側に回動して前記羽根群を回動させる第２の環状部材と、を有し
前記第１の環状部材は前記第２の環状部材よりも径が小さく、前記第２の環状部材と同じ面上の内側に重ねて配置されて、前記第２の環状部材とともに連動回転することを特徴とする請求項２に記載の光量調節装置。
【請求項４】
前記第１の環状部材及び前記第２の環状部材は、同一平面上を連動回転することを特徴とする請求項３に記載の光量調節装置。
【請求項５】
前記多重環状部材は、光通過開口に直交する方向に複数の環状部材が重なることを特徴とする請求項１または２に記載の光量調節装置。
【請求項６】
前記複数の環状部材は、
一方向側に回動して前記複数の光量調節羽根を回動させる第１の環状部材と、
前記第１の環状部材の回動方向とは反対側の他方向側に回動して前記複数の光量調節羽根を回動させる第２の環状部材と、を有し
前記複数の環状部材を駆動する駆動手段のギヤは、前記第１の環状部材の外側、かつ、前記第２の環状部材の内側に配置されることを特徴とする請求項１乃至５のいずれか１項に記載の光量調節装置。
【請求項７】
前記ギヤは、前記第１の環状部材と前記第２の環状部材を連動回転させる単一のギヤであることを特徴とする請求項６に記載の光量調節装置。
【請求項８】
請求項１乃至７のいずれか１項に記載の光量調節装置を光学系に備えた撮像装置。
【発明の詳細な説明】
【技術分野】
【０００１】
本発明は、カメラや交換レンズ等の光学機器に搭載され、絞り装置等とも称される光量調節装置及び撮像装置に関するものである。
【背景技術】
【０００２】
光量調節装置は、駆動リングの回動により複数の絞り羽根を動作させ、複数の絞り羽根により形成される絞り開口（可変開口）の大きさを変化させることにより光量を調節する。このような光量調節装置は、虹彩型絞り装置とも称され、このような絞り装置においては、２段歯車に接続されるほぼ同径の２つの駆動リングの間で、複数の光量調節羽根を開放から絞り状態へ駆動させることが知られている（特許文献１）。
【先行技術文献】
【特許文献】
【０００３】
【特許文献１】特開２００３−１９５３８９号公報
【発明の概要】
【発明が解決しようとする課題】
【０００４】
しかしながら、特許文献１に開示された絞り装置のような構成では、２段歯車の回転により、ほぼ同径の２つの駆動リングを回転する構成となっている。また、絞り装置を搭載する撮像装置では、高画質化が進んでおり、絞り羽根の高速駆動が望まれている。
【０００５】
本発明は上述した課題に鑑みてなされたものであり、その目的は、絞り装置の光量調節羽根を高速に駆動できる光量調節装置を提供することである。
【課題を解決するための手段】
【０００６】
本発明に係わる光量調節装置は、光通過開口を通過する光の量を調節する複数の光量調節羽根と、前記光通過開口の周囲に配置されて前記複数の光量調節羽根を回動させる駆動手段とを備え、前記駆動手段は、前記複数の光量調節羽根が連結されると共に外径の異なる複数の環状部材を組合せた多重環状部材を有し、前記複数の環状部材を相互に異なる方向に連動回転させて前記複数の光量調節羽根を回動させることにより前記光通過開口の大きさを変更することを特徴とする。
【０００７】
本発明は、複数の光量調節羽根を外径の異なる複数の環状部材によって回動させる構成において、当該複数の環状部材を相互に異なる方向に連動回転させて光通過開口の大きさを変更する構成に特徴がある。
【０００８】
ここで、複数の環状部材は、相互に異なる方向に回転させて複数の光量調節羽根によって光通過開口の大きさを変更できれば、その回転連動の仕方は特に限定されるものではない。例えば、２つの環状部材の場合、それぞれの回動動作の過程において、少なくとも一時的に同期（周期的運動の周期を一致させて動作）ないし同調（互いの動きの調子を合わせて動作）させて互いに動き出だしたり或いは停止させたりしてもよいし、一方の環状部材を逆回転（方向転換）させるにあたり他方の環状部材を作用させて互いに協働させてもよいし、あるいは一時的に同一方向に共動させてもよい。このときの同調とは、一方の環状部材を先に動作させて、他方の環状部材を後から動作させて互いに動くといったことを含む。また、駆動モータ等により直接駆動される一方の環状部材と、他方の環状部材との間にギアやコロを設けて、一方の環状部材に他方の環状部材を従動させてもよい。なお、ここでは２つの環状部材を例に挙げたが、本発明はこれに限定されず、３つ以上の環状部材をそれぞれ独立、あるいは個別に、あるいは組み合わせる等して連動させ、光通過開口の大きさを変更するように複数の光量調節羽根を回動させるようにしてもよい。
【発明の効果】
【０００９】
本発明によれば、光量調節羽根を高速に駆動できる光量調節装置を提供することが可能となる。
【図面の簡単な説明】
【００１０】
【図１】本発明の光量調節装置の第１の実施形態である虹彩型絞り装置の分解斜視図である。
【図２】本発明の第１の実施形態の絞り装置の組み立て状態を示した平面図である。
【図３】本発明の第１の実施形態の絞り装置の組み立て状態を示した外観斜視図である。
【図４】１つの絞り羽根を拡大して示した図である。
【図５】内径駆動リングを拡大して示した図である。
【図６】外径駆動リングを拡大して示した図である。
【図７】押さえ板を拡大して示した図である。
【図８】本発明の光量調節装置の第２の実施形態である虹彩型絞り装置の分解斜視図である。
【図９】本発明の第２の実施形態の絞り装置の組み立て状態を示した平面図である。
【図１０】図８のＡ−Ａ断面図である。
【図１１】本発明の光量調節装置の第３の実施形態である虹彩型絞り装置の分解斜視図である。
【図１２】本発明の第３の実施形態の絞り装置の組み立て状態を示した平面図である。
【発明を実施するための形態】
【００１１】
以下、本発明の実施形態について、添付図面を参照して詳細に説明する。
【００１２】
（第１の実施形態）
図１は、本発明の撮像装置等に用いられる光量調節装置の第１の実施形態である虹彩型絞り装置３０の分解斜視図である。また、図２は本実施形態の絞り装置３０の組み立て状態を示した平面図、図３は絞り装置３０の組み立て状態を示した外観斜視図である。なお、ここでは絞り装置について説明するが、シャッタ装置やシャッタ機能を有する絞り装置も、本発明の光量調節装置に含まれる。
【００１３】
図１〜図３において、絞り装置３０は、外形構成部材としての板状の地板１と押さえ板３とを備えている。地板１の中央部には、レンズ（光学系）を透過する光を通過させるための固定開口１ａ（開放状態の光通過開口）が形成されており、後述する絞り羽根５（光量調節羽根）がこの固定開口１ａを絞る（開口径を変更する）ことにより、被写体からの光量が調節される。また、地板１の外周部には、地板１と押さえ板３の間に後述する絞り羽根５、内径駆動リング７、外径駆動リング９を収納する空間を形成するための外枠１ｂが形成されている。さらに、地板１の外枠１ｂに近接した位置には、後述する外径駆動リング９を摺動可能に支持するための半球状の突起部１ｃが複数形成されている。また、地板１の外周部には、押さえ板３の凹部３ｆと係合して地板１と押さえ板３を固定する爪部１ｄが複数個所に形成されている。
【００１４】
地板１の中央部の上には、地板１の固定開口１ａを覆うように、複数の絞り羽根５（羽根群）が配置される。絞り羽根５は、本実施形態では、例えば６枚備えられており、それぞれの絞り羽根５には、内径駆動リング７の駆動穴７ａと嵌合する（連結する）駆動ピン５ａと、外径駆動リング９のカム溝９ａと係合するカムピン５ｂが固定されている。この駆動ピン５ａとカムピン５ｂが、それぞれ内径駆動リング７及び外径駆動リング９の回動により駆動されて、複数の絞り羽根５が開閉駆動される。なお、本実施形態では、絞り羽根５の枚数を６枚としているが、他の複数枚であってもよいことは言うまでもない。
【００１５】
地板１に配置された絞り羽根５の上の外周部には、外径駆動リング９（環状部材）が、そのカム溝９ａに絞り羽根５のカムピン５ｂが係合するように配置される。外径駆動リング９の中央には、内径駆動リング７と嵌合する開口部９ｂが形成されている。また、外径駆動リング９の外周部には、後述するフォトインタラプタ１１により外径駆動リング９の初期位置を検出するための遮光板９ｃが形成されている。この遮光板９ｃがフォトインタラプタ１１を遮光する位置まで回動した位置が、外径駆動リング９の初期位置と判断される。外径駆動リング９は、地板１の突起部１ｃにより摺動可能に支持され、地板１の表面との間に絞り羽根５が摺動できる空間を形成している。さらに、外径駆動リング９の開口部９ｂの一部には、後述するピニオンギヤ１３と噛合するギヤ部９ｄが形成されており、このギヤ部９ｄにより外径駆動リング９が回動駆動される。また、外径駆動リング９は、外周部に地板１に設けられている外枠１ｂと嵌合するための半月状突起９ｆを有する。なお、外径駆動リング９の表面には、押さえ板３との摺動を滑らかにするために半球状の突起部９ｅが形成されている。
【００１６】
地板１に配置された絞り羽根５の上の中央部には、内径駆動リング７（環状部材）が、その駆動穴７ａに絞り羽根５の駆動ピン５ａが嵌合するように配置される。内径駆動リング７の中央には、レンズを透過する光を通過させるための開口部７ｂが形成されている。また、内径駆動リング７の外周部には、内径駆動リング７が外径駆動リング９の開口部９ｂ内で滑らかに回動できるように、半月状突起７ｃが形成されている。内径駆動リング７が外径駆動リング９は、環状部材を相互に組合わせた多重環状部材を構成する。また、内径駆動リング７は外径駆動リング９よりも径が小さく、外径駆動リング９と同一平面上の内側に重ねて配置されている。なお、内径駆動リング７と外径駆動リング９とを同一平面上に回転させるためには、内径駆動リング７に径方向の外側へ突出する段差を設けて、外径駆動リング９を内径駆動リング７の段差の上に設置してもよい。また、外径駆動リング９に径方向の内側へ突出する段差を設けて、内径駆動リング７を外径駆動リング９の段差の上に設置するように構成してもよい。さらに、内径駆動リング７の外周部の一部には、後述するピニオンギヤ１３と噛合するギヤ部７ｄが形成されており、このギヤ部７ｄにより内径駆動リング７が回動駆動される。なお、内径駆動リング７の表面には、押さえ板３との摺動を滑らかにするために半球状の突起部７ｅが形成されている。
【００１７】
地板１に上記の絞り羽根５、内径駆動リング７、外径駆動リング９が配置された状態で、地板１には、押さえ板３が取り付けられ、爪部１ｄにより固定される。押さえ板３の中央部には、レンズを透過する光を通過させるための固定開口３ａが形成されている。また、押さえ板３の外周部には、地板１の外枠１ｂと嵌合する外枠３ｂが形成されている。
【００１８】
なお、押さえ板３には、ピニオンギヤ１３（単一のギヤ）を備えたステッピングモータ１５がネジ１７により固定され、ステッピングモータ１５が押さえ板３に固定された状態では、ピニオンギヤ１３が押さえ板３の開口部３ｃから地板１と押さえ板３の間の空間に進入している。そして、このピニオンギヤ１３が図２に示されるように、内径駆動リング７のギヤ部７ｄ及び外径駆動リング９のギヤ部９ｄと噛合している。そのため、ステッピングモータ１５が図２における時計回りに回転すると、ピニオンギヤ１３も同じ方向に回転し、内径駆動リング７は反時計回りに、外径駆動リング９は時計回りに回動される。また、ステッピングモータ１５が反時計回りに回転すると、これらの部材はそれぞれ逆方向に回転される。これにより絞り羽根５が開閉駆動される。
【００１９】
また、押さえ板３には、外径駆動リング９の初期位置を検出するためのセンサとして用いられるフォトインタラプタ１１が固定枠３ｄを介して取り付けられる。そして、外径駆動リング９の遮光板９ｃがフォトインタラプタ１１を遮光する位置まで回動すると、外径駆動リング９が初期位置に来たと判断される。
【００２０】
なお、２０は絞り装置３０の中心軸であり、この中心軸２０に平行な方向をスラスト方向とすると、押さえ板３、内径駆動リング７、外径駆動リング９、複数の絞り羽根５、地板１は、この順でスラスト方向に積層される。すなわち、外径駆動リング９と内径駆動リング７は、スラスト方向において絞り羽根５に対して地板１とは反対側（片側）に配置され、押さえ板３は絞り羽根５、外径駆動リング９、内径駆動リング７に対して地板１とは反対側に配置される。このとき、複数の駆動リングを絞り羽根５の一方面側に配置することで、絞り羽根５の両面で駆動リングが回動する場合よりも駆動リングと絞り羽根５が干渉する可能性を低減することができる。
【００２１】
図４は、１つの絞り羽根５を拡大して示した図である。絞り羽根５は、中心軸２０に平行なスラスト方向と直交するラジアル面に平行になるように配置され、遮光機能を有する平板形状の羽根部と、羽根部からスラスト方向に突出するように設けられた駆動ピン５ａとカムピン５ｂを有する。
【００２２】
図５は、内径駆動リング７を拡大して示した図である。内径駆動リング７は、その中央に開口部７ｂを有し、さらに開口部７ｂの周囲における周方向複数箇所（６箇所）に設けられた絞り羽根５の駆動ピン５ａと係合する駆動穴７ａと、外径駆動リング９とラジアル嵌合するための半月状突起７ｃを有する。また、押さえ板３とスラスト方向で接触する突起部７ｅを有する。
【００２３】
図６は、外径駆動リング９を拡大して示した図である。外径駆動リング９は、絞り羽根５の数と一致する分のカム溝９ａを有し、カム溝９ａは、絞り羽根５のカムピン５ｂと係合する。また外径駆動リング９は、外周部に地板１に設けられている外枠１ｂとラジアル嵌合するための半月状突起９ｆを有する。また、外径駆動リング９と内径駆動リング７の円周部の一部には、ピニオンギヤ１３に噛合するギヤ部９ｄ、７ｄがそれぞれ形成されている。また、外径駆動リング９には、遮光板９ｃが設けられ、外径駆動リング９が回動することで遮光板９ｃが、フォトインタラプタ１１の発光部と受光部との間に入り込み遮光することで、外径駆動リング９の初期位置の検出を行っている。
【００２４】
図７は、押さえ板３を拡大して示した図である。押さえ板３は、フォトインタラプタ１１を固定するための固定枠３ｄを有し、固定枠３ｄに沿って遮光板９ｃを移動できるようにするための円弧状溝３ｅを有している。
【００２５】
このように構成される絞り装置３０においては、ステッピングモータ１５に電圧を印加すると、ピニオンギヤ１３は、ステッピングモータ１５から見て時計回りに回動する。ピニオンギヤ１３は、外径駆動リング９が有するギヤ９ｄと内径駆動リング７が有するギヤ７ｄと係合するため、ピニオンギヤ１３が回動することで、ステッピングモータ１５側から見て外径駆動リング９は時計回りに回動し、内径駆動リング７は反時計回りに回動することになる（連動回転）。このとき、絞り羽根５は、内径駆動リング７が有する駆動穴７ａと係合している駆動ピン５ａを軸に回動し、絞り羽根５が回動する軌跡は、カムピン５ｂが係合しているカム溝９ａの形状と、内径駆動リング７と外径駆動リング９の回転角度に左右されることになる。なお、ピニオンギヤ１３の回動が、ステッピングモータ１５側から見て反時計回りになった場合は、内径駆動リング７と外径駆動リング９の回転方向は上記とは逆方向になる。
【００２６】
本実施形態では、外径駆動リング９と内径駆動リング７が同時に相反する方向に回動することから、駆動リングを一つしか有していない従来の絞り装置に比べ、１ｓｔｅｐ当たりの羽根の移動量を２倍にでき、それゆえに高速で駆動する絞り装置にすることができる。本発明の第１の実施形態では、１ｓｔｅｐ当たりの羽根の移動量を２倍としたが、ギア比や複数の環状部材の内外径の違いによって、羽根の移動量の倍率を適宜調節できる。
【００２７】
本発明の実施形態において、複数の環状部材（駆動リング）を相互に異なる方向に連動回転するとは、内径駆動リング７と外径駆動リング９とが相反方向に共動して、同調するように回転することを示す。このとき、内径駆動リング７と外径駆動リング９とがそれぞれの回動中心側に向かって絞る一組の光量調節羽根を回動させる。つまり、２つの環状部材が相互に異なる方向に連動回転することで、それぞれの環状部材の移動量に対して、光通過方向に直交する面内で一組の光量調節羽根が回動する。そのため、２つの環状部材の移動量の合計を一組の光量調節羽根の移動量に変換することができ、光通過開口が開放状態から小絞り状態となるまで一組の光量調節羽根を高速で移動させることができる。
【００２８】
さらに、複数の環状部材を相互に異なる方向に連動回転させて複数の光量調節羽根を回動させることにより、光量調節羽根が高速で移動するため、光通過開口の形状を絞り開口の形成する多角形の面積を素早く変化させるとともに、小絞り状態から固定開口１ａの円形に素早く切り替えることが可能となる。つまり、本実施形態の絞り装置は、１つの環状部材だけで光通過開口を作る構造と比べて、絞り開口を開閉する過程において所望の開口形状を環状部材一つ当たりの移動量を少なくして形成することができる。しかも、地板や環状部材の開口部から光量調節羽根が退避する場合には、開口部光通過開口の形状を素早く多角形から円形に切り替えることが可能となることから、高性能な光量調整の構造を実現できるものである。
【００２９】
第１の実施形態において、内側駆動リング７は、外側駆動リング９よりも小径となっているため、外側駆動リング９よりも内側駆動リング７を軽量化することができ、内側駆動リング７を高速で回転させやすいため絞り羽根５を高速駆動することができる。
【００３０】
（第２の実施形態）
図８は、本発明の光量調節装置の第２の実施形態である虹彩型絞り装置１３０の分解斜視図である。また、図９は本実施形態の絞り装置１３０の組み立て状態を示した平面図である。
【００３１】
図８、図９において、絞り装置１３０は、外形構成部材としての板状の地板１０１と押さえ板１０３とを備えている。地板１０１の中央部には、レンズを透過する光を通過させるための固定開口１０１ａが形成されており、後述する絞り羽根１０５がこの固定開口１０１ａを絞ることにより、被写体からの光量が調節される。また、地板１０１の外周部には、地板１０１と押さえ板１０３の間に後述する絞り羽根１０５、内径駆動リング１０７、外径駆動リング１０９を収納する空間を形成するための外枠１０１ｂが形成されている。また、地板１０１の外周部には、押さえ板１０３の穴１０３ｆをネジで地板１０１に固定するネジ穴１０１ｄが複数個所に形成されている。
【００３２】
地板１０１の中央部の上には、地板１０１の固定開口１０１ａを覆うように、複数の絞り羽根１０５が配置される。絞り羽根１０５は、本実施形態では、例えば９枚備えられており、それぞれの絞り羽根１０５には、外径駆動リング１０９の駆動穴１０９ａと嵌合する駆動ピン１０５ａと、内径駆動リング１０７のカム溝１０７ａと係合するカムピン１０５ｂが固定されている。この駆動ピン１０５ａとカムピン１０５ｂが、それぞれ外径駆動リング１０９及び内径駆動リング１０７の回動により駆動されて、複数の絞り羽根１０５が開閉駆動される。なお、本実施形態では、絞り羽根１０５の枚数を９枚としているが、他の複数枚であってもよいことは言うまでもない。
【００３３】
地板１０１に配置された絞り羽根１０５の上には、内径駆動リング１０７が、そのカム溝１０７ａに絞り羽根１０５のカムピン１０５ｂが係合するように配置される。内径駆動リング１０７の中央には、光を通過させるための開口部１０７ｂが形成されている。また、内径駆動リング１０７の外周部の一部には、後述するピニオンギヤ１１３と噛合するギヤ部１０７ｄが形成されており、このギヤ部１０７ｄにより内径駆動リング１０７が回動駆動される。また、内径駆動リング１０７は、外周部に地板１０１に当接して、絞り羽根１０５の移動スペースを形成する突起１０７ｆを有する。
【００３４】
内径駆動リング１０７の上には、外径駆動リング１０９が、その駆動穴１０９ａに絞り羽根１０５の駆動ピン１０５ａが嵌合するように配置される。外径駆動リング１０９の中央には、レンズを透過する光を通過させるための開口部１０９ｂが形成されている。さらに、外径駆動リング１０９の内周部の一部には、後述するピニオンギヤ１３と噛合するギヤ部１０９ｄが形成されており、このギヤ部１０９ｄにより外径駆動リング１０９が回動駆動される。また、外径駆動リング１０９の外周部には、後述するフォトインタラプタ１１１により外径駆動リング１０９の初期位置を検出するための遮光板１０９ｅが形成されている。この遮光板１０９ｅがフォトインタラプタ１１１を遮光する位置まで回動した位置が、外径駆動リング１０９の初期位置と判断される。なお、外径駆動リング１０９の駆動穴１０９ａの裏面には、図８のＡ−Ａ断面図である図１０に示すように、絞り羽根１０５の駆動ピン１０５ａに外側から嵌合する突起部１０９ｆが形成されている。絞り羽根１０５と嵌合う突起部１０９ｆを内径駆動リング１０７の羽根支持面の反対面側をスラスト方向に超えるように長く形成することにより、駆動ピン１０５ａの外径駆動リング１０９に対する嵌合が安定する。
【００３５】
地板１０１に上記の絞り羽根１０５、内径駆動リング１０７、外径駆動リング１０９が配置された状態で、地板１０１には、押さえ板１０３が取り付けられる。押さえ板１０３の中央部には、レンズを透過する光を通過させるための固定開口１０３ａが形成されている。
【００３６】
なお、押さえ板１０３には、ピニオンギヤ１１３を備えた不図示のステッピングモータがネジにより固定され、ステッピングモータが押さえ板１０３に固定された状態では、ピニオンギヤ１１３が押さえ板１０３の開口部１０３ｃから地板１０１と押さえ板１０３の間の空間に進入している。そして、このピニオンギヤ１１３が図９に示されるように、内径駆動リング１０７のギヤ部１０７ｄ及び外径駆動リング１０９のギヤ部１０９ｄと噛合している。そのため、ピニオンギヤ１１３が図９における時計回りに回転すると、内径駆動リング１０７は反時計回りに、外径駆動リング１０９は時計回りに回動される。また、ピニオンギヤ１１３が反時計回りに回転すると、これらの部材はそれぞれ逆方向に回転される。これにより絞り羽根１０５が開閉駆動される。
【００３７】
また、押さえ板１０３には、外径駆動リング１０９の初期位置を検出するためのセンサとして用いられるフォトインタラプタ１１１が取り付けられる。そして、外径駆動リング１０９の遮光板１０９ｅがフォトインタラプタ１１１を遮光する位置まで回動すると、外径駆動リング１０９が初期位置に来たと判断される。
【００３８】
このように構成される絞り装置１３０においては、ステッピングモータに電圧を印加すると、ピニオンギヤ１１３は、図９において時計回りに回動する。ピニオンギヤ１１３は、外径駆動リング１０９が有するギヤ１０９ｄと内径駆動リング１０７が有するギヤ１０７ｄと係合するため、ピニオンギヤ１１３が回動することで、図９において外径駆動リング１０９は時計回り（一方向側の回動方向）に回動し、内径駆動リング１０７は反時計回り（他方向側）に回動することになる。このとき、絞り羽根１０５は、外径駆動リング１０９が有する駆動穴１０９ａと係合している駆動ピン１０５ａを軸に回動し、絞り羽根１０５が回動する軌跡は、カムピン１０５ｂが係合しているカム溝１０７ａの形状と、内径駆動リング１０７と外径駆動リング１０９の回転角度に左右されることになる。なお、ピニオンギヤ１１３の回動が、図９において反時計回りになった場合は、内径駆動リング１０７と外径駆動リング１０９の回転方向は上記とは逆方向になる。
【００３９】
２つの駆動リングが支持する光量調節羽根の支持面が、同一平面上でない場合、接触面積の大きいカム溝を形成している内径駆動リングを外径駆動リングよりも光量調節羽根側に配置すると光量調節羽根を安定駆動することができる。また、内径駆動リングの外径部分を外径駆動リングの外径部分よりも内側に配置し、内径駆動リングを地板と嵌め合いするための突起を外径駆動リングの外径部分よりも外側に突出させることによって、内径駆動リングを安定駆動させることができる。
【００４０】
なお、環状部材の外径部分や内径部分とは、環状部材のギア部や突起部を含まず環状部材の概形で円形とみなせる部分のうち外側にある部分を外形部分とし、円形とみなせる部分のうち内側にある部分を内径部分とする。
【００４１】
また、２つの駆動リングの外径または内径を異ならせることによって、内側駆動リングの内径よりも内側に外側駆動リングの内径部分はなく、外側駆動リングの外径部分よりも外側には内側駆動リングの外径部分は存在しないため、２つの駆動リングを用いた構成において、駆動リングを軽量化することができ、光量調節羽根を高速移動させやすくなる。  第２の実施形態においては、内径駆動リングに地板と当接する複数の突起部を用いることで内径駆動リングに肉抜き部分を設けることでき、内径駆動リングを軽量化し、内径駆動リングを高速駆動させることができる。
【００４２】
（第３の実施形態）
上記の第１及び第２の実施形態では、駆動部であるステッピングモータを１つとしたが、本実施形態では、２つのステッピングモータを使用する場合について説明する。
【００４３】
図１１は、本発明の光量調節装置の第３の実施形態である虹彩型絞り装置２３０の分解斜視図である。また、図１２は本実施形態の絞り装置２３０の組み立て状態を示した平面図である。
【００４４】
図１１、図１２において、絞り装置２３０は、外形構成部材としての板状の地板２０１と押さえ板２０３とを備えている。地板２０１の中央部には、レンズを透過する光を通過させるための固定開口２０１ａが形成されており、後述する絞り羽根２０５がこの固定開口２０１ａを絞ることにより、被写体からの光量が調節される。また、地板２０１の外周部には、地板２０１と押さえ板２０３の間に後述する絞り羽根２０５、内径駆動リング２０７、外径駆動リング２０９を収納する空間を形成するための外枠２０１ｂが形成されている。また、地板２０１の外周部には、押さえ板２０３の穴２０３ｆをネジで地板２０１に固定するネジ穴２０１ｄが複数個所に形成されている。
【００４５】
地板２０１の上には、内径駆動リング２０７が、そのカム溝２０７ａに絞り羽根２０５のカムピン２０５ｂが係合するように配置される。内径駆動リング２０７の中央には、光を通過させるための開口部２０７ｂが形成されている。また、内径駆動リング２０７の外周部は、一部が外周方向に延長されて、後述するピニオンギヤ２１３と噛合するギヤ部２０７ｄが形成されており、このギヤ部２０７ｄにより内径駆動リング２０７が回動駆動される。また、内径駆動リング２０７は、外周部に地板２０１に設けられている外枠２０１ｂと嵌合するための突起２０７ｆを有する。
【００４６】
内径駆動リング２０７の上には、外径駆動リング２０９が、その駆動穴２０９ａに絞り羽根２０５の駆動ピン２０５ａが嵌合するように配置される。外径駆動リング２０９の中央には、レンズを透過する光を通過させるための開口部２０９ｂが形成されている。また、外径駆動リング２０９の外周部の一部には、後述するピニオンギヤ２１７と噛合するギヤ部２０９ｄが形成されており、このギヤ部２０９ｄにより外径駆動リング２０９が回動駆動される。また、外径駆動リング２０９の外周部には、後述するフォトインタラプタ２１１により外径駆動リング２０９の初期位置を検出するための遮光板２０９ｅが形成されている。この遮光板２０９ｅがフォトインタラプタ２１１を遮光する位置まで回動した位置が、外径駆動リング２０９の初期位置と判断される。
【００４７】
外径駆動リング２０９の上には、地板２０１の固定開口２０１ａを覆うように、複数の絞り羽根２０５が配置される。絞り羽根２０５は、本実施形態では、例えば９枚備えられており、それぞれの絞り羽根２０５には、外径駆動リング２０９の駆動穴２０９ａと嵌合する駆動ピン２０５ａと、内径駆動リング２０７のカム溝２０７ａと係合するカムピン２０５ｂが固定されている。この駆動ピン２０５ａとカムピン２０５ｂが、それぞれ外径駆動リング２０９及び内径駆動リング２０７の回動により駆動されて、複数の絞り羽根２０５が開閉駆動される。なお、本実施形態では、絞り羽根２０５の枚数を９枚としているが、他の複数枚であってもよいことは言うまでもない。
【００４８】
地板２０１に上記の絞り羽根２０５、内径駆動リング２０７、外径駆動リング２０９が配置された状態で、地板２０１には、押さえ板２０３が取り付けられる。押さえ板２０３の中央部には、レンズを透過する光を通過させるための固定開口２０３ａが形成されている。
【００４９】
なお、押さえ板２０３には、ピニオンギヤ２１３を備えたステッピングモータと、ピニオンギヤ２１７を備えたステッピングモータの２つのステッピングモータが固定される。そして、２つのステッピングモータが押さえ板２０３に固定された状態では、ピニオンギヤ２１３，２１７が押さえ板２０３の開口部２０３ｃ，２０３ｇから地板２０１と押さえ板２０３の間の空間に進入している。そして、このピニオンギヤ２１３，２１７が図１２に示されるように、内径駆動リング２０７のギヤ部２０７ｄ及び外径駆動リング２０９のギヤ部２０９ｄと噛合している。そのため、ピニオンギヤ２１３が図１２における時計回りに回転し、ピニオンギヤ２１７が反時計回りに回転すると、内径駆動リング２０７は反時計回りに、外径駆動リング２０９は時計回りに回動される。また、ピニオンギヤ２１３が反時計回りに回転し、ピニオンギヤ２１７が時計回りに回転すると、これらの部材はそれぞれ逆方向に回転される。これにより絞り羽根１０５が開閉駆動される。
【００５０】
また、押さえ板２０３には、外径駆動リング２０９の初期位置を検出するためのセンサとして用いられるフォトインタラプタ２１１が取り付けられる。そして、外径駆動リング２０９の遮光板２０９ｅがフォトインタラプタ２１１を遮光する位置まで回動すると、外径駆動リング２０９が初期位置に来たと判断される。
【００５１】
このように構成される絞り装置２３０においては、ステッピングモータに電圧を印加すると、図１２において、ピニオンギヤ２１３は時計回りに、ピニオンギヤ２１７は反時計回りに回転する。ピニオンギヤ２１３は内径駆動リング２０７が有するギヤ２０７ｄと噛合し、ピニオンギヤ２１７は外径駆動リング１０９が有するギヤ２０９ｄと係合するため、ピニオンギヤ２１３，２１７が回転することで、図１２において外径駆動リング２０９は時計回りに回動し、内径駆動リング２０７は反時計回りに回動することになる。このとき、絞り羽根２０５は、外径駆動リング２０９が有する駆動穴２０９ａと係合している駆動ピン２０５ａを軸に回動し、絞り羽根２０５が回動する軌跡は、カムピン２０５ｂが係合しているカム溝２０７ａの形状と、内径駆動リング２０７と外径駆動リング２０９の回転角度に左右されることになる。なお、ピニオンギヤ２１３，２１７の回転が、図１２において上記と逆になった場合は、内径駆動リング２０７と外径駆動リング２０９の回転方向は上記とは逆方向になる。
【００５２】
第３の実施形態も同様に内径駆動リングに地板と当接する複数の突起部を用いることで内径駆動リングに肉抜き部分を設けることができ、内径駆動リングを軽量化し、内径駆動リングを高速駆動させることができる。
【００５３】
また、第３の実施形態も２つの駆動リングの外径または内径を異ならせることによって、駆動リングを軽量化することができ、光量調節羽根を高速移動させやすくなる。
【符号の説明】
【００５４】
１，１０１，２０１  地板 
３，１０３，２０３  押さえ板
５，１０５，２０５  絞り羽根
７，１０７，２０７  内径駆動リング
９，１０９，２０９  外径駆動リング
１１，１１１，２１１  フォトインタラプタ
１３，１１３，２１３  ピニオンギヤ
１５  ステッピングモータ
２０  中心軸
３０，１３０，２３０  絞り装置
【図１】
2015079105.tif 000003
【図２】
2015079105.tif 000004
【図３】
2015079105.tif 000005
【図４】
2015079105.tif 000006
【図５】
2015079105.tif 000007
【図６】
2015079105.tif 000008
【図７】
2015079105.tif 000009
【図８】
2015079105.tif 000010
【図９】
2015079105.tif 000011
【図１０】
2015079105.tif 000012
【図１１】
2015079105.tif 000013
【図１２】
2015079105.tif 000014